(57)【要約】【課題】装置の大型化を抑え、スクリュー軸と噛み合う噛合部の食い付きを回避することができる駆動装置、および撮影装置を提供することを目的とする。【解決手段】外周に雄ねじが形成されて所定の案内方向に延びたスクリュー軸を備え、スクリュー軸の回転により、スクリュー軸に噛合する噛合部を有する被案内ユニットを案内方向に移動させる駆動装置において、スクリュー軸の回転に伴って回転し、所定の端点位置まで移動してきた被案内ユニットに回転方向に干渉してスクリュー軸の回転を停止させる干渉部を有する。【選択図】        図１
2008026635.tif 000002
【特許請求の範囲】
【請求項１】
外周に雄ねじが形成されて所定の案内方向に延びたスクリュー軸を備え、該スクリュー軸の回転により、該スクリュー軸に噛合する噛合部を有する被案内ユニットを前記案内方向に移動させる駆動装置において、
前記スクリュー軸の回転に伴って回転し、所定の端点位置まで移動してきた被案内ユニットに回転方向に干渉して該スクリュー軸の回転を停止させる干渉部を有することを特徴とする駆動装置。
【請求項２】
前記被案内ユニットが、レンズと該レンズを保持するレンズ枠とを含むものであることを特徴とする請求項１記載の駆動装置。
【請求項３】
前記干渉部が、前記スクリュー軸に設けられた突起であることを特徴とする請求項１記載の駆動装置。
【請求項４】
前記スクリュー軸を回転させるためのモータと、該モータの回転駆動力を前記スクリュー軸に伝える減速ギアとを備え、前記干渉部が該減速ギアに設けられた突起であることを特徴とする請求項１記載の駆動装置。
【請求項５】
撮影光学系により被写体光を導き撮像素子上に被写体像を形成して画像データを生成する撮影装置において、
外周に雄ねじが形成されて所定の案内方向に延び正逆自在に回転するスクリュー軸を具備する駆動ユニットと、
前記撮影光学系のうちの少なくとも一部の光学部材を保持するとともに前記スクリュー軸に噛合する噛合部を有し、前記スクリュー軸の回転に伴って前記案内方向に移動する移動光学ユニットとを備え、
前記駆動ユニットが、前記スクリュー軸の回転に伴って回転し、所定の端点位置まで移動してきた移動光学ユニットに回転方向に干渉して該スクリュー軸の回転を停止させる干渉部を有することを特徴とする撮影装置。
【発明の詳細な説明】
【技術分野】
【０００１】
本発明は、被案内ユニットを所定の案内方向に移動させる駆動装置、および被写体を撮影する撮影装置に関する。
【背景技術】
【０００２】
近年、デジタルカメラの小型化が急速に進んできたことに加えて、携帯電話機やＰＤＡ（Ｐｅｒｓｏｎａｌ  Ｄｉｇｉｔａｌ  Ａｓｓｉｓｔａｎｔ）などといった小型機器に、被写体を撮影してデジタルの撮影画像を取得する撮影装置を内蔵することが広範に行われている。日ごろから常に携帯している小型機器に撮影装置が備えられることによって、デジタルカメラやビデオカメラを持ち運ぶ手間をかけずに、いつでも手軽に撮影を行うことができる。また、これらの小型機器には、無線や赤外線などを使ったデータ通信機能が予め搭載されていることが一般的であり、撮影した撮影画像をその場ですぐに他の携帯電話機やパーソナルコンピュータなどに送ることができるなどという利点もある。
【０００３】
しかし、小型の撮影装置では、レンズや撮像素子（例えば、ＣＣＤやＣＭＯＳなど）等の大きさや、それらを収納するスペースが大幅に制限されるため、従来サイズの撮影装置と同様な構成や方法では、撮影機能や撮影画像の画質等を充実させることが困難である。
【０００４】
これらの点に関し、近年では、高画素の小型撮像素子や、これに対応した小型レンズなどが開発されてきており、小型の撮影装置でも、十分な画質の撮影画像を取得することができるようになってきている。残る課題である撮影機能の充実においては、デジタルカメラには標準的に搭載されているオートフォーカス機能やズーム機能が搭載されることが望まれている。
【０００５】
オートフォーカス機能やズーム機能は、撮影装置内で複数のレンズを光軸方向に移動させることによって実現される。レンズを移動させる駆動装置としては、外周に雄ねじが形成されたスクリュー軸と、スクリュー軸を回転させるモータとを備えた駆動装置が広く用いられている。レンズを保持するレンズ保持枠などに、スクリュー軸の雄ねじに噛み合う噛合部（例えば、ナットなど）を形成しておき、スクリュー軸が延びる方向をレンズの光軸方向に合わせて駆動装置を撮影装置内に配置することにより、スクリュー軸の回転に伴ってレンズ保持枠がスクリュー軸に沿って移動する。
【０００６】
ここで、スクリュー軸を利用した駆動装置では、レンズ保持枠の移動範囲の端に位置センサが配置されており、レンズ保持枠が移動範囲の端に移動したことが検知されると、スクリュー軸の回転が停止されることが一般的である。しかし、何らかの故障によって、レンズ保持枠が移動範囲の端に移動した後もスクリュー軸が回転し続けると、スクリュー軸の雄ねじにレンズ保持枠の噛合部が食い付いてしまう。その結果、スクリュー軸を逆回転させてレンズ保持枠を逆方向に移動させようとしても、レンズ保持枠とスクリュー軸との食い付きが外れず、レンズ保持枠を移動させることができなくなってしまう恐れがある。
【０００７】
この点に関し、特許文献１には、スクリュー軸の端にバネを設け、バネでレンズ保持枠を移動方向とは逆方向に付勢することにより、レンズ保持枠がスクリュー軸に食い付く力を軽減させる技術について記載されている。しかし、駆動装置に、レンズを駆動する駆動機構とは別にバネなどを備えると、駆動装置全体が大型化してしまい、小型の撮影装置に搭載することができなくなってしまう。
【０００８】
また、特許文献２には、スクリュー軸の端にストッパを設けるとともに、スクリュー軸の、ストッパに衝突したレンズ保持枠の噛合部と対応する部分の一部に、ねじ溝よりも深い窪みを形成した駆動装置について記載されている。スクリュー軸に沿って移動してきたレンズ保持枠がストッパに突き当たると、噛合部の、スクリュー軸の雄ねじと対応する部分は、スクリュー軸の回転に伴ってさらに雄ねじと噛み合おうとするが、噛合部の、スクリュー軸の窪みと対応する部分は、スクリュー軸と噛み合わずに浮いているため、レンズ保持枠の食い付き力を軽減することができる。
【特許文献１】特開２００４−２５８５５７号公報
【特許文献２】特開平６−１９０６８６号公報
【発明の開示】
【発明が解決しようとする課題】
【０００９】
しかし、特許文献２に記載された駆動装置では、レンズ保持枠の食い付きを軽減することはできるが、確実に防止することはできない。デジタルカメラよりも大幅に小型の撮影装置では、装置の小型化に伴って摩擦等の影響を強く受けるためにレンズ保持枠がスムーズに移動しにくく、この摩擦力にレンズ保持枠の食い付き力が加わると、レンズが全く駆動しなくなってしまうという問題がある。
【００１０】
尚、上述した問題は、レンズを移動させる駆動装置のみに限らず、スクリュー軸を使って、そのスクリュー軸に噛合する噛合部が形成された被駆動体を所定の方向に移動させる駆動装置一般に当てはまるものである。
【００１１】
本発明は、上記事情に鑑み、装置の大型化を抑え、スクリュー軸と噛み合う噛合部の食い付きを確実に回避することができる駆動装置、および撮影装置を提供することを目的とする。
【課題を解決するための手段】
【００１２】
上記目的を達成する本発明の駆動装置は、外周に雄ねじが形成されて所定の案内方向に延びたスクリュー軸を備え、スクリュー軸の回転により、スクリュー軸に噛合する噛合部を有する被案内ユニットを案内方向に移動させる駆動装置において、
スクリュー軸の回転に伴って回転し、所定の端点位置まで移動してきた被案内ユニットに回転方向に干渉してスクリュー軸の回転を停止させる干渉部を有することを特徴とする。
【００１３】
本発明の駆動装置によると、スクリュー軸の回転に伴って被案内ユニットが端点位置まで移動してくると、スクリュー軸とともに回転している干渉部と被案内ユニットとが回転方向に突き当たり、干渉部によって被案内ユニットの移動が停止されるとともに、被案内ユニットによって干渉部の回転が停止される。その結果、スクリュー軸の回転自体も停止されるため、被案内ユニットの噛合部がスクリュー軸の雄ねじに食い付いてしまう不具合を確実に回避することができる。
【００１４】
また、本発明の駆動装置において、上記被案内ユニットが、レンズとレンズを保持するレンズ枠とを含むものであることが好適である。
【００１５】
本発明の好適な駆動装置によると、端点位置に移動してきたレンズが動かなくなってしまう不具合を回避することができ、レンズ駆動における信頼性を向上させることができる。
【００１６】
また、本発明の駆動装置において、上記干渉部が、スクリュー軸に設けられた突起であることが好ましい。
【００１７】
スクリュー軸に突起が設けられることによって、簡易な機構で噛合部の食い付きを防止することができる。
【００１８】
また、本発明の駆動装置において、上記スクリュー軸を回転させるためのモータと、モータの回転駆動力をスクリュー軸に伝える減速ギアとを備え、上記干渉部が減速ギアに設けられた突起であることも好ましい。
【００１９】
従来から、スクリュー軸に、モータの回転を減速させてトルクを増強させてからスクリュー軸に伝達する減速ギアを備えることが行われている。この減速ギアに突起を設けることによって、装置の大型化を抑えることができる。
【００２０】
また、上記目的を達成する本発明の撮影装置は、撮影光学系により被写体光を導き撮像素子上に被写体像を形成して画像データを生成する撮影装置において、
外周に雄ねじが形成されて所定の案内方向に延び正逆自在に回転するスクリュー軸を具備する駆動ユニットと、
撮影光学系のうちの少なくとも一部の光学部材を保持するとともにスクリュー軸に噛合する噛合部を有し、スクリュー軸の回転に伴って案内方向に移動する移動光学ユニットとを備え、
駆動ユニットが、スクリュー軸の回転に伴って回転し、所定の端点位置まで移動してきた移動光学ユニットに回転方向に干渉してスクリュー軸の回転を停止させる干渉部を有することを特徴とする。
【００２１】
本発明の撮影装置によると、がたつきなどを生じさせずにレンズを確実に移動させることができ、装置を大型化させずに、高画質な撮影画像を得ることができる。
【００２２】
なお、本発明にいう撮影装置については、ここではその基本形態のみを示すのにとどめるが、これは単に重複を避けるためであり、本発明にいう撮影装置には、上記の基本形態のみではなく、前述した駆動装置の各形態に対応する各種の形態が含まれる。
【発明の効果】
【００２３】
本発明によれば、装置の大型化を抑え、スクリュー軸と噛み合う噛合部の食い付きを回避することができる。
【発明を実施するための最良の形態】
【００２４】
以下図面を参照して本発明の実施の形態を説明する。
【００２５】
本発明の駆動装置の一実施形態は、好ましくは、携帯電話機用などの小型の撮影装置に搭載されて、レンズを所定方向に移動させるものであるが、本発明の駆動装置の基本的な構成や駆動方法を分かりやすく説明するため、まずは、撮影装置等に搭載される前の、本発明に最低限必要な部品で構成された駆動装置について説明する。
【００２６】
図１は、本発明の駆動装置の一実施形態の概略構成図である。
【００２７】
図１に示す駆動装置１は、撮影装置等に搭載されて、レンズを保持したレンズ枠などを所定方向に移動させるものであり、撮影装置等に内蔵されたＣＰＵからの指示に従って駆動する。
【００２８】
駆動装置１には、外周に雄ねじ１１が形成されたスクリュー軸１０と、スクリュー軸１０を正回転方向（矢印Ａ方向）および逆回転方向に回転させるモータ２０とが備えられている。また、スクリュー軸１０には、内部に雌ねじが形成されたナット３０が噛合している。スクリュー軸１０は、本発明にいうスクリュー軸の一例にあたり、ナット３０は、本発明にいう噛合部の一例に相当する。
【００２９】
ナット３０には、レンズを保持したレンズ枠など、スクリュー軸１０に沿って移動させる移動対象物が取り付けられる。スクリュー軸１０が回転すると、スクリュー軸１０の雄ねじ１１がナット３０の雌ねじと噛み合い、ナット３０がスクリュー軸１０に沿って移動する。また、ナット３０には、スクリュー軸１０が延びる方向に突出する突部３１が設けられている。ナット３０と、ナットに取り付けられた移動対象物とを合わせたものは、本発明にいう被案内ユニットの一例にあたる。
【００３０】
スクリュー軸１０には、スクリュー軸１０とともに回転し、移動してきたナット３０の突部３１が突き当たることによって、ナット３０の移動を停止させるストッパ１２が設けられている。ストッパ１２は、本発明にいう干渉部の一例にあたるとともに、本発明にいう「スクリュー軸に設けられた突起」の一例に相当する。
【００３１】
通常動作時においては、駆動装置１が搭載された撮影装置等のＣＰＵから伝えられる指示に応じてモータが駆動し、スクリュー軸１０が正回転方向（矢印Ａ方向）に回転されると、ナット３０はモータ２０に向かう正移動方向（矢印Ｂ方向）に移動し、スクリュー軸１０が逆回転方向に回転されると、ナット３０はモータ２０から遠ざかる逆移動方向に移動する。
【００３２】
しかし、何らかの故障によって、ＣＰＵがモータの駆動指示を解除しなかった場合、ナット３０がスクリュー軸１０の根元にまで達し、ナット３０の突部３１がストッパ１２に突き当たっても、モータ２０の駆動は停止されず、スクリュー軸１０には回転の駆動力が印加され続ける。
【００３３】
本実施形態の駆動装置１では、ストッパ１２がスクリュー軸１０とともに回転しており、図１に示すように、ナット３０の突部３１はストッパ１２に回転方向に突き当たる。このため、ストッパ１２の回転がナット３０の突部３１によって停止され、ストッパ１２とともに回転していたスクリュー軸１０の回転も停止され、その結果、ナット３０の移動も停止される。このように、モータ２０からスクリュー軸１０に回転駆動力が印加され続けても、スクリュー軸１０の回転およびナット３０の移動の双方が停止されるため、スクリュー軸１０にナット３０が食い付いてしまう不具合を確実に回避することができる。
【００３４】
図１に示す状態において、ＣＰＵからの指示により、モータ２０からスクリュー軸１０に逆回転方向の駆動力が印加されると、スクリュー軸１０が矢印Ａ方向とは逆の逆回転方向に回転し、ナット３０が矢印Ｂ方向とは逆の逆移動方向に移動して、移動対象物の駆動動作が復旧される。
【００３５】
駆動装置１では、基本的には、以上のようにして、移動対象物のスクリュー軸への食い付きが回避されている。
【００３６】
以上で、本発明の駆動装置の第１実施形態の説明を終了し、続いて、本発明の駆動装置の第２実施形態を携帯電話機内に搭載した、本発明の撮影装置の一実施形態について説明する。
【００３７】
図２は、本発明の撮影装置の一実施形態である携帯電話機の外観斜視図である。
【００３８】
この携帯電話機１００には、主に、外部装置との間で音声や電子メールなどを送受信するデータ通信機能と、被写体を撮影する撮影機能とが搭載されている。
【００３９】
図２（Ａ）に示すように、携帯電話機１００の前面には、メニュー画面や、撮影画像などが表示される液晶パネル１０１、内部にスピーカ（図３参照）が配備され、スピーカから発せられる音声を放つための送話口１０２、基地局を介して音声や電子メールなどのデータを送受信するための第１アンテナ１０３ａ、各種機能の選択や、撮影を行う際のシャッタボタンとして使用される選択ボタン１０４、電話番号を入力するためのプッシュボタン１０５、内部にマイクロフォン（図３参照）が配備され、声をマイクロフォンに伝えるための受話口１０６、ユーザが入力した電話番号などを確定する確定ボタン１０７、電源ボタン１０８、および基地局を介さずに、近距離用の無線通信によって画像やアドレス情報などを送受信するための第２アンテナ１０９ａが備えられている。
【００４０】
また、図２（Ｂ）に示すように、携帯電話機１００の背面には、本体筐体１００ａに被写体光を結像する撮影レンズ１１０が埋め込まれている。撮影レンズ１１０は、本発明にいうレンズの一例に相当する。
【００４１】
携帯電話機１００を使って音声や電子メールなどを送信する際には、ユーザがプッシュボタン１０５を使って電話番号や電子メールアドレス等を入力し、確定ボタン１０７を押下すると、無線通信によってデータが指定された通信相手先に向けて発信される。携帯電話機１００から発信されたデータは、一旦、基地局で受信され、基地局から電話回線、ＬＡＮ回線、および別の基地局などを介して通信相手先に伝えられる。逆に、通信相手先から送信されてきたデータは、基地局で受信されて無線のデータに変換された後、携帯電話機１００に伝えられる。
【００４２】
また、携帯電話機１００を使って被写体を撮影する際には、ユーザが、図２（Ｂ）の撮影レンズ１１０を被写体に向けて選択ボタン１０４を押すと、携帯電話機１００に内蔵されたシャッタが切られて、撮影が行われる。
【００４３】
続いて、携帯電話機１００の内部構造について説明する。
【００４４】
図３は、携帯電話機１００の内部ブロック図である。
【００４５】
携帯電話機１００の内部には、撮影レンズ１１０、アイリス１１１、ＣＣＤ１１２、Ａ／Ｄ（Ａｎａｌｏｇ／Ｄｅｇｉｔａｌ）変換部１１３、マイクロフォン１２１、スピーカ１２２、インタフェース部１２０、第１送受信部１０３、入力コントローラ１３０、画像信号処理部１４０、ビデオエンコーダ１５０、画像表示装置１６０、第２送受信部１０９、メモリ１７０、ＣＰＵ１８０、メディアコントローラ１９０、各種スイッチ１８１が具備されており、さらに、記録メディア１９１が接続されている。
【００４６】
各種スイッチ１８１には、図２に示す選択ボタン１０４やプッシュボタン１０５などが含まれる。これら各種スイッチ１８１が押下されると、そのスイッチが入ったことがＣＰＵ１８０に伝えられる。
【００４７】
ＣＰＵ１８０は、図３に示す携帯電話機１００の各種要素に処理の指示を伝えて、各種要素を制御する。例えば、撮影を行う撮影モードが設定された状態で図２の選択ボタン１０４が押下されると、ＣＰＵ１８０から図３に示す各種要素に指示が与えられ、撮影が開始される。
【００４８】
まずは、携帯電話機１００に搭載された撮影機能について説明する。
【００４９】
本来、被写体を撮影する撮影装置には複数のレンズが配備され、それら複数のレンズのうち少なくとも１つのレンズがピント調節に大きく関与し、各レンズの相対位置が焦点距離に関与するが、この図３では、それら複数のレンズを撮影レンズ１１０として模式的に示している。撮影レンズ１１０は、レンズ保持枠に保持されており、レンズ駆動装置によって光軸に沿う方向に移動される。レンズ保持枠やレンズ駆動装置については、後で詳しく説明する。
【００５０】
撮影レンズ１１０を通過してきた被写体光は、アイリス１１１によって光量が調整された後、ＣＣＤ１１２上に結像され、ＣＣＤ１１２において、被写体像を表わす画像信号が生成される。ＣＣＤ１１２は、本発明にいう撮像素子の一例に相当する。生成された画像信号は、Ａ／Ｄ変換部１１３において粗く読み出され、アナログ信号がデジタル信号に変換されて、低解像度なスルー画像データが生成される。ここで、ＣＣＤ１１２には、ＣＰＵ１８０からタイミング信号が供給されており、このタイミング信号に同期して、所定の間隔ごとに、画像信号が生成される。生成されたスルー画像データは、入力コントローラ１３０を介して画像信号処理部１４０に送られる。
【００５１】
画像信号処理部１４０では、スルー画像データにＲＧＢレベルの調節、ガンマ調整等といった画像処理が施される。画像処理後のスルー画像データは、ビデオエンコーダ１５０に送られ、さらに、画像表示装置１６０に伝えられて、液晶パネル１０１上に、スルー画像データが表わすスルー画像が表示される。ここで、ＣＣＤ１１２では、所定のタイミング毎に被写体光が読み取られて画像信号が生成されているため、この液晶パネル１０１には、撮影レンズ１１０が向けられた方向のスルー画像が常に表示され続ける。
【００５２】
また、Ａ／Ｄ変換部１１３で生成されたスルー画像データは、ＣＰＵ１８０にも供給される。ＣＰＵ１８０は、スルー画像データに基づいて、撮影レンズ１１０が光軸に沿って移動されている間にＣＣＤ１１２で繰り返し得られた画像信号が表わす被写体像のコントラストと、被写体の輝度を検出する。さらに、ＣＰＵ１８０は、撮影レンズ１１０に取り付けられたレンズ駆動装置（後述する）を制御することにより、撮影レンズ１１０をコントラストのピークが得られるレンズ位置に移動させるとともに（ＡＦ処理）、検出した輝度に応じてアイリス１１１の絞り値を調整する（ＡＥ処理）。
【００５３】
ここで、液晶パネル１０１に表示されたスルー画像を確認しながら、撮影者が図２に示す選択ボタン１０４を押下すると、選択ボタン１０４が押されたことがＣＰＵ１８０に伝えられ、ＣＣＤ１１２で生成された画像信号がＡ／Ｄ変換部１１３において細かく読み出されて、高解像度な撮影画像データが生成される。生成された撮影画像データは、入力コントローラ１３０を介して画像信号処理部１４０に送られ、ＲＧＢレベルの調節、およびガンマ調整といった画像処理が施された後、圧縮されてメモリ１７０に送られる。
【００５４】
メモリ１７０には、この携帯電話機１００内で実行されるプログラムが記憶されたり、中間バッファとして用いられる記録速度が高速なＳＤＲＡＭ、各種メニュー画面用のデータや、ユーザの設定内容などが記憶されたデータ保存用のメモリであるＳＲＡＭ、圧縮された撮影画像データが記憶されるＶＲＡＭが含まれている。ＶＲＡＭは、複数領域に分割されており、撮影画像データが複数領域に順番に記憶され、記憶された撮影画像データはビデオエンコーダ１５０やメディアコントローラ１９０に順次に読み出される。
【００５５】
ビデオエンコーダ１５０は、ＣＰＵ１８０からの指示に従って、メモリ１７０から圧縮後の撮影画像データを取得し、圧縮後の撮影画像データを、液晶パネル１０１で表示できるデータ形式に変換する。変換後の撮影画像データは画像表示装置１３０に送られ、画像表示装置１３０によって、撮影画像データが表す撮影画像が液晶パネル１０１に表示される。また、ユーザによって撮影画像データの保存が指示された場合には、メディアコントローラ１９０は、メモリ１７０に記憶された圧縮後の撮影画像データを記録メディア１９１へ記録し、ユーザによって撮影画像データの表示が指示された場合には、メディアコントローラ１９０は、記録メディア１９１に記録された圧縮後の撮影画像データを読み出して、ビデオエンコーダ１５０に伝える。
【００５６】
続いて、携帯電話機１００に搭載されたデータ通信機能について説明する。
【００５７】
図２に示すプッシュボタン１０５を使って電話番号が入力され、確定ボタン１０７が押下されると、電話番号が設定されて相手装置との通信が開始される。このとき、携帯電話機１００の電話番号や入力された電話番号などの通信情報がＣＰＵ１８０から第１送受信部１０３に伝えられ、通信情報が電波に変換されてアンテナ１０３ａに伝えられ、アンテナ１０３ａから電波が発せられる。第１アンテナ１０３ａから発せられた電波は、建物や電柱などといった各所に設けられている共同アンテナ（図示しない）を介して基地局に伝わり、基地局で、指定された電話番号が割り当てられた相手装置との接続が確立される。
【００５８】
相手装置との接続が確立すると、ユーザが携帯電話機１００に向けて発した声がマイクロフォン１２１で集音され、集音された声がインタフェース部１２０で音声データを表わす電波に変換されて、第１送受信部１０３の第１アンテナ１０３ａによって相手装置に送信される。また、第１アンテナ１０３ａを介して受信された音声用の電波は、インタフェース部１２０で音声データに変換され、スピーカ１２２から音声として発せられる。第１送受信部１０３、第１アンテナ１０３ａでは、音声データだけではなく、電話番号の代わりにメールアドレスを使ってメールを表わすメールデータも送受信される。第１アンテナ１０３ａで受信されて、第１送受信部１０３でデジタル化されたメールデータは、入力コントローラ１３０によってメモリ１７０に記憶される。
【００５９】
また、この携帯電話機１００には、基地局を介して他の携帯電話機などといった相手装置と通信するための通信インタフェース（第１送受信部１０３、第１アンテナ１０３ａ）とは別に、基地局を介さずに、近距離用の無線通信によって通信するための無線通信インタフェース（第２送受信部１０９、第２アンテナ１０９ａ）も備えられている。近距離無線通信用の通信インタフェースとしては、赤外線通信やブルートゥース（Ｂｌｕｅｔｏｏｔｈ）などを適用することができる。本実施形態では、通信インタフェースとして赤外線通信が適用されており、他の携帯電話機などから直接送信されてきた赤外線が第２アンテナ１０９ａで受信されると、その受信された赤外線に基づく電気信号が第２送受信部１０９でピックアップされて、デジタルのデータに変換される。逆に、外部装置にデータを送信するときには、第２送受信部１０９にデータが伝えられ、そのデータが第２送受信部１０９で電波に変換されて、第２アンテナ１０９ａから発せられる。
【００６０】
この第２アンテナ１０９ａで画像を表わす赤外線が受信されると、第２送受信部１０９では赤外線に基づく電気信号が画像データに変換される。変換された画像データは、撮影画像データと同様にして、画像表示装置１６０に送られて画像データが表わす画像が液晶パネル１０１に表示されたり、メディアコントローラ１９０を介して記録メディア１９１に記録される。
【００６１】
携帯電話機１００は、基本的には以上のように構成されている。
【００６２】
以下では、本発明の駆動装置の第２実施形態であり、撮影レンズ１１０を光軸方向に移動させるレンズ駆動装置について説明する。
【００６３】
図４および図５は、図３に示す撮影レンズ１１０を光軸方向に移動させるレンズ駆動装置の概略構成図である。
【００６４】
レンズ駆動装置２００には、図１に示す第１実施形態の駆動装置１と同様の、モータ２１０およびスクリュー軸２２０が備えられており、スクリュー軸２２０には、ナット３１０が取り付けられている。また、本実施形態においても、スクリュー軸２２０にはストッパ２２１が取り付けられている。モータ２１０と、スクリュー軸２２０と、ストッパ２２１を合わせたものは、本発明の撮影装置における駆動ユニットの一例に相当する。
【００６５】
ナット３１０には、撮影レンズ１１０を保持するレンズ保持枠３２０が固定されており、レンズ保持枠３２０は、携帯電話機１００の本体筐体に対して固定され、レンズ保持枠３２０の移動を光軸方向に案内するガイド軸３３１，３３２に支持されている。レンズ保持枠３２０と、ナット３１０とを合わせたものは、本発明にいう被案内ユニットの一例にあたるとともに、本発明の撮影装置における移動光学ユニットの一例に相当する。
【００６６】
本実施形態のレンズ駆動装置２００においては、第１実施形態の駆動装置１と同様に、ストッパ２２１がスクリュー軸２２０に直接取り付けられているが、図１に示すナット３０の突部３１に替えて、レンズ保持枠３２０にストッパ２２１と回転方向に突き当たる突当部３２１が設けられている。
【００６７】
また、スクリュー軸２２０が延びる方向と、レンズ保持枠３２０に保持される撮影レンズ１１０の光軸方向とが合わせられており、モータ２１０が駆動してスクリュー軸２２０が回転すると、ナット３１０がスクリュー軸２２０に沿って移動することにより、レンズ保持枠３２０が光軸方向に移動する。
【００６８】
また、図５に示すように、ナット３１０がスクリュー軸２２０の根元にまで達すると、ストッパ２２１にレンズ保持枠３２０の突当部３２１が突き当たり、ストッパ２２１の回転が停止されて、スクリュー軸２２０の回転も停止され、さらに、ナット３１０の移動も停止される。
【００６９】
このように、スクリュー軸２２０とともに回転するストッパ２２１に、ナット３１０ではなく、移動対象物であるレンズ保持枠３２０を突き当てることによっても、ナット３１０の食い付きを防止することができる。また、本実施形態の撮影装置１００によると、撮影レンズ１１０を確実に移動させることにより、オートフォーカス機能やズーム機能などを確実に実現させることができ、装置の信頼性を向上させることができる。
【００７０】
以上で、本発明の第２実施形態の説明を終了し、本発明の第３実施形態について説明する。本発明の第３実施形態は、本発明の第２実施形態とほぼ同様の構成を有するものであるため、第２実施形態と同じ要素については同じ符号を付して説明を省略し、第２実施形態との相違点についてのみ説明する。
【００７１】
図６および図７は、本発明の第３実施形態であるレンズ駆動装置の一部を示す図である。
【００７２】
本実施形態のレンズ駆動装置４００には、モータ４１０およびスクリュー軸４２０が備えられており、スクリュー軸４２０には、図４に示す第２実施形態と同様の、レンズ保持枠３２０を保持するナット３１０が噛合している。また、レンズ駆動装置４００には、モータ４１０の回転を減速させてトルクを増強させてからスクリュー軸４２０に伝達する減速ギア４３０も備えられている。モータ４１０は、本発明にいうモータの一例にあたり、減速ギア４３０は、本発明にいう減速ギアの一例に相当する。
【００７３】
また、本実施形態のレンズ駆動装置４００では、図４に示す第２実施形態のレンズ駆動装置２００と同様に、レンズ保持枠３２０に突当部３２１（図４参照）が設けられているが、図６に示すように、ストッパ４３１がスクリュー軸４２０ではなく減速ギア４３０に取り付けられている。
【００７４】
モータ４１０が駆動すると、減速ギア４３０においてモータ４１０の回転が減速され、トルクが増強されてからスクリュー軸４２０に回転駆動力が伝達される。スクリュー軸４２０が矢印Ａ方向に回転すると、スクリュー軸４２０と噛み合ったナット３１０が矢印Ｂ方向に移動し、レンズ保持枠３２０が光軸方向に移動される。
【００７５】
また、図７に示すように、ＣＰＵ１８０の暴走等によってモータ４１０が停止せずにナット３１０が減速ギア４３０の位置にまで移動してくると、レンズ保持枠３２０の突当部が減速ギア４３０のストッパ４３１に回転方向に突き当たり、減速ギア４３０の回転が停止されるとともに、スクリュー軸４２０の回転も停止される。このようにストッパ４３１を減速ギア４３０に設けることによって、装置の大幅な大型化を抑えて、ナット３１０の食い付きを回避することができる。
【００７６】
ここで、上記では、スクリュー軸の雄ねじと噛み合う噛合部としてナットを適用する例について説明したが、本発明にいう噛合部は、スクリュー軸と噛み合うものであれば、回転しながらスクリュー軸に沿って移動するものであってもよい。
【００７７】
また、上記では、レンズを光軸方向に移動させる駆動装置について説明したが、本発明の駆動装置は、レンズ以外の対象物を移動させるものであってもよい。
【００７８】
また、上記では、本発明の撮影装置を携帯電話機に適用する例について説明したが、本発明の撮影装置は、例えば、デジタルカメラや銀塩カメラなどに適用してもよい。
【００７９】
また、上記では、本発明にいう撮像素子の一例としてＣＣＤが示されているが、本発明にいう撮像素子はＣＭＯＳセンサなどであってもよい。
【図面の簡単な説明】
【００８０】
【図１】本発明の駆動装置の一実施形態の概略構成図である。
【図２】本発明の撮影装置の一実施形態である携帯電話機の外観斜視図である。
【図３】図２に示す携帯電話機の概略的な内部構成図である。
【図４】撮影レンズを光軸方向に移動させるレンズ駆動装置の概略構成図である。
【図５】撮影レンズを光軸方向に移動させるレンズ駆動装置の概略構成図である。
【図６】本発明の第３実施形態であるレンズ駆動装置の一部を示す図である。
【図７】本発明の第３実施形態であるレンズ駆動装置の一部を示す図である。
【符号の説明】
【００８１】
１    駆動装置
２００，４００    レンズ駆動装置
１０，２２０，４２０    スクリュー軸
１１    雄ねじ
１２，２２１，４３１    ストッパ
２０，２１０，４１０    モータ
３０，３１０    ナット
３１    突部
１００    携帯電話機
１０１    液晶パネル
１０２    送話口
１０３    第１送受信部
１０３ａ    第１アンテナ
１０４    選択ボタン
１０５    プッシュボタン
１０６    受話口
１０７    確定ボタン
１０８    電源ボタン
１０９    第２送受信部
１０９ａ    第２アンテナ
１１０    撮影レンズ
１１１    アイリス
１１２    ＣＣＤ
１１３    Ａ／Ｄ変換部
１２０    インタフェース部
１２１    マイクロフォン
１２２    スピーカ
１３０    入力コントローラ
１４０    画像信号処理部
１５０    ビデオエンコーダ
１６０    画像表示装置
１７０    メモリ
１８０    ＣＰＵ
１８１    各種スイッチ
１９０    メディアコントローラ
【図１】
2008026635.tif 000003
【図２】
2008026635.tif 000004
【図３】
2008026635.tif 000005
【図４】
2008026635.tif 000006
【図５】
2008026635.tif 000007
【図６】
2008026635.tif 000008
【図７】
2008026635.tif 000009